(57)【要約】【課題】  非接触式ＩＣカードの鞄内部への固定作業を容易にする。【解決手段】  ショルダーバッグ２の内部のユーザの手が届く位置に面ファスナ２ａおよび２ｂが貼着されている。非接触式ＩＣカードを収容するカードホルダには、この面ファスナ２ａおよび２ｂと接着し合う面ファスナが貼着されている。従って、ユーザは、予め非接触式ＩＣカードをカードホルダに収容し、このカードホルダの面ファスナをショルダバッグ２内の面ファスナ２ａおよび２ｂに接着させることにより、非接触式ＩＣカードをショルダーバッグ２内に固定することができる。【選択図】図２
0003138151.tif 000002
【実用新案登録請求の範囲】
【請求項１】
非接触式ＩＣカードを収容するカード収容具であって、互いに着脱可能な固定具の組の一方を外表面に設けてなるカード収容具と、
前記固定具の組の他方を内側に有する鞄とからなることを特徴とする鞄およびカード収容具の組み合わせ。
【請求項２】
前記固定具の組の他方は、前記鞄の底の内側、前記鞄の側部の内側、前記鞄のまち部分の内側、前記鞄に設けられた収容部の内側の少なくとも一面に設けられていることを特徴とする請求項１に記載の鞄およびカード収容具の組み合わせ。
【請求項３】
前記カード収容具は、カードの収容を専らの用途とするカードホルダであることを特徴とする請求項１に記載の鞄およびカード収容具の組み合わせ。
【請求項４】
前記カード収容具は、カードを収容するポケットを有し、かつ、カード以外の物を収容可能な袋状物であることを特徴とする請求項１に記載の鞄およびカード収容具の組み合わせ。
【考案の詳細な説明】
【技術分野】
【０００１】
この考案は、ショルダーバッグ、ハンドバッグ、ビジネスバッグ、スーツケース等の鞄と非接触式ＩＣカードを収容するカード収容具の組み合わせに関する。
【背景技術】
【０００２】
定期券としての役割あるいはプリペイドカードとしての役割を果たす非接触式ＩＣカードが広く利用されている。この種の非接触式ＩＣカードを利用して電車に乗ろうとするユーザは、駅の改札口を通過するときに、この非接触式ＩＣカードをカード読み取り装置にかざし、カード読み取り装置との間で非接触の通信を行わせる。しかしながら、改札口の前で鞄から非接触式ＩＣカードを取り出すのは面倒である。この問題を解決するため、特許文献１は、内側の底、外側の底、側面の内側、側面の外側に非接触式ＩＣカードを収容する収容ポケットを設けた鞄を提案している。この構成によれば、ユーザは、鞄の収容ポケットに非接触式ＩＣカードを収容したまま、非接触式ＩＣカードを手で外に取り出すことなく改札口を通過し、非接触式ＩＣカードとカード読み取り装置との間で通信を行わせることができる。
【特許文献１】実用新案登録第３０８０５２５号
【考案の開示】
【考案が解決しようとする課題】
【０００３】
ところで、上記特許文献１に開示されている構成において、鞄の外側の底や側面の外側に収容ポケットがあると、この収容ポケットから非接触式ＩＣカードが抜けたとき、非接触式ＩＣカードを紛失する問題が発生し得る。一方、鞄の内側の底、側面の内側に収容ポケットを設けた場合には、このような非接触式ＩＣカードの紛失の問題は発生しない。しかし、鞄の内側の底や側面の内側に収容ポケットがある場合、そのような収容ポケットに非接触式ＩＣカードを収容する作業は面倒なものになる。特に鞄の底や側面が湾曲していると、収容ポケットも同様に湾曲するので、非接触式ＩＣカードがなかなか収容ポケットに入らず、非接触式ＩＣカードの収容ポケットへの収容に手間取ることとなる。
【０００４】
この考案は、以上説明した事情に鑑みてなされたものであり、非接触式ＩＣカードの鞄内部への固定作業を容易にする技術的手段を提供することを目的とする。
【課題を解決するための手段】
【０００５】
この考案は、非接触式ＩＣカードを収容するカード収容具であって、互いに着脱可能な固定具の組の一方を外表面に設けてなるカード収容具と、前記固定具の組の他方を内側に有する鞄とからなることを特徴とする鞄およびカード収容具の組み合わせを提供する。
かかる考案によれば、非接触式ＩＣカードをカード収容具に収容した後、固定具の組を互いに固着させるによりカード収容具を鞄の内部の位置に固定することができるので、非接触式ＩＣカードの鞄内部への固定作業が容易になる。なお、この考案において、鞄とは、ユーザが何らかの物を入れて携行することが可能なあらゆる袋状物を意味する。
【考案を実施するための最良の形態】
【０００６】
以下、図面を参照し、本考案の実施の形態について説明する。
図１（ａ）はこの考案によるカード収容具の一実施形態であるカードホルダ１を表から見た正面図、図１（ｂ）は同カードホルダ１を裏から見た背面図である。なお、カードホルダ１の機能の理解を容易にするため、図１（ａ）には非接触式ＩＣカード１１が収容された状態のカードホルダ１が示され、また、カード挿入方向Ｘが示されている。
【０００７】
図１（ａ）に示すようにカードホルダ１は、カードの収容を専らの用途とするカードホルダであり、非接触式ＩＣカード１１の収容に適した大きさのポケット１２が設けられている。また、非接触式ＩＣカード１１のカードホルダ１からの取り出しを容易にするため、ポケット１２には非接触式ＩＣカード１１を露出させる長孔１２ａが設けられている。そして、図１（ｂ）に示すようにカードホルダ１の裏面の長手方向両端の各位置には、面ファスナ１ａおよび１ｂが貼着されている。本実施形態の１つの特徴は、このカードホルダ１に設けられた面ファスナ１ａおよび１ｂにある。なお、カードホルダ１は、布地により構成されたものでもよく、プラスチック等の素材を成形したものであってもよい。あるいは、カードホルダ１は、皮製のものであってもよい。
【０００８】
図２（ａ）はこの考案による鞄の一実施形態であるショルダーバッグ２の構成を示す斜視図、図２（ｂ）は図２（ａ）のショルダーバッグ２の底部を矢印Ｉａ方向から透視した図、図２（ｃ）は図２（ａ）のＩｂ−Ｉｂ’線断面図、図２（ｄ）は図２（ａ）のＩｃ−Ｉｃ’線断面図である。
【０００９】
図２（ａ）に示すように、ショルダーバッグ２は、肩に掛けるためのベルト２０（図２（ａ）では、図面が煩雑になるのを防止するため、一部の図示が省略されている。）が接続された中央の収納部２１と、その外側の収納部２２と、この収容部２２のさらに外側の収容部２３とを有している。各収納部２１〜２３には、各々を開閉するためのスライドファスナ２１ｆ、２２ｆ、２３ｆが各々設けられている。また、収容部２１の外側にはまち部２４が設けられている。なお、ショルダーバッグ２は、収容部２１〜２３の他にも収容部を有しており、まち部２４とは反対側にもさらにまち部を有しているが、それらの図示は省略されている。
【００１０】
本実施形態のもう１つの特徴は、カードホルダ１の面ファスナ１ａおよび１ｂと接着し合う面ファスナ２ａおよび２ｂを、ユーザの手が届くショルダーバッグ２の内部の位置に設けた点にある。ここで、ユーザの手が届く位置とは、まち部２４のように常に開放状態になっている部位の内側のみならず、収容部２１〜２３など、スライドファスナの操作等の簡単な操作により開放状態とし、その内側にユーザの手を入れることが可能な部位の内側の位置を含む。図２（ｂ）〜（ｄ）には、面ファスナ２ａおよび２ｂの設置位置の例が示されている。図２（ｂ）に示す例では、収容部２１の内側の底部分２５に面ファスナ２ａおよび２ｂが貼着されている。また、図２（ｃ）に示す例では、収容部２３の内側、より詳しくは、ショルダーバッグ２の最前面をなす壁部分の内側に面ファスナ２ａおよび２ｂが貼着されている。図示の例では、面ファスナ２ａおよび２ｂが上下に並んでいるが、左右に並べてもよい。また、図２（ｄ）に示す例では、まち部２４の内側に面ファスナ２ａおよび２ｂが貼着されている。図示の例では、面ファスナ２ａおよび２ｂが上下に並んでいるが、左右に並べてもよい。以上の各例において、面ファスナ２ａおよび２ｂの間隔は、カードホルダ１における面ファスナ１ａおよび１ｂの間隔と同じである。面ファスナ２ａおよび２ｂは、図２（ｂ）〜（ｄ）に示す各位置のうちいずれかに設けてもよく、２箇所以上に設けてもよい。
【００１１】
本実施形態において、ユーザは、予めカードホルダ１に非接触式ＩＣカード１１を収容する。そして、ユーザは、非接触式ＩＣカード１１を収容した状態のカードホルダ１をショルダーバッグ２内に入れ、カードホルダ１の面ファスナ１ａおよび１ｂとショルダーバッグ２内の面ファスナ２ａおよび２ｂとを接着させ、カードホルダ１をショルダーバッグ２内の面ファスナ２ａおよび２ｂの位置に固定する。この状態において、ショルダーバッグ２を肩に掛けたユーザが改札口を通過すると、ショルダーバッグ２内の所定位置に固定された非接触式ＩＣカード１１は、改札口のカード読み取り装置の通信可能圏内を横切り、非接触式ＩＣカード１１としての役割を果たす。
【００１２】
以上のように、本実施形態によれば、非接触式ＩＣカード１１を予めカードホルダ１に収容してから、カードホルダ１をショルダーバッグ２内の所定の位置に固定することができるので、非接触式ＩＣカード１１をショルダーバッグ２内の所定の位置に固定する作業が容易であるという効果がある。
【００１３】
以上、この考案の一実施形態について説明したが、この考案には他にも実施形態がある。例えば次の通りである。
【００１４】
（１）ショルダーバッグ２において、カードホルダ１の面ファスナ１ａおよび１ｂと接着し合う面ファスナ２ａおよび２ｂは、収容部２２の内側面、収容部２１の内側面またはそれ以外の収容部の内側面に設けてもよい。通常の使用状態において、容易にユーザの手が届き、かつ、非接触ＩＣカード１１がカードホルダ１から抜け出た場合においてその非接触ＩＣカード１１がショルダーバッグ２から落下する危険性のない場所であれば、面ファスナ２ａおよび２ｂの設置位置として適切である。
【００１５】
（２）上記実施形態に挙げたように、まち部や多くの収容部を有するショルダーバッグの他、収容部が１つしかない鞄も本考案の適用対象となり得る。その場合、唯一の収容部の内側の位置に面ファスナ２ａおよび２ｂを設ければよい。
【００１６】
（３）上記実施形態では、カードホルダ１側とショルダーバッグ２側に面ファスナを２個ずつ設けたが、面ファスナの個数は必要とされる接着強度に応じて任意に選択すればよい。また、カードホルダ１側に設ける面ファスナの数、面積と、ショルダーバッグ２側に設ける面ファスナの数、面積は一致していなくてもよい。
【００１７】
（４）上記実施形態において、カード収容具は、カードの収容を専らの用途とするカードホルダ１であった。しかし、カード収容具は、非接触式ＩＣカードを収容するポケットを有し、かつ、カード以外の物をも収容可能な袋状の物入れであってもよい。また、この場合において、袋状の物入れは、布製であってもよく、プラスチック製であってもよく、皮製であってもよい。図３（ａ）は、その一例である物入れ３の構成を示す斜視図、図３（ｂ）は同物入れ３の内側の状態を示す図、図３（ｃ）は同物入れ３の裏面を示す図である。この例において、物入れ３は布製の袋状物であり、その側部に設けられたスライドファスナ３１を開けることにより、内部に小物を収容することができる。物入れ３の内側には、図３（ｂ）に示すように、非接触式ＩＣカード１１を収容可能な大きさのポケット３２ａおよび３２ｂが設けられている。そして、物入れ３の裏面には、面ファスナ３ａおよび３ｂが貼着されている。先に図１および図２を参照して説明した実施形態において、このような物入れ３をカード収容具として用いる場合、ショルダーバッグ２内に設ける面ファスナ２ａおよび２ｂの間隔は、面ファスナ３ａおよび３ｂの間隔と同じにする。この実施形態においても、先に説明した実施形態と同様な効果が得られる。
【００１８】
（５）上記実施形態では、この考案による鞄の一例としてショルダーバッグを挙げたが、鞄は他の種類のものであってもよい。例えば肩に掛けずに持ち歩くハンドバッグ、セカンドバッグ、ビジネスバッグでもよく、また、スーツケース、ゴルフバッグのような大型の鞄でもよく、人が携行して駅の改札口等を通過することが可能なあらゆる種類の鞄にこの考案を適用可能である。
【００１９】
（６）上記実施形態では、互いに着脱可能な固定具の組として面ファスナを用いたが、他の固定具の組を用いてもよい。例えば、固定具の組は、バネ式のホック等であってもよい。
【図面の簡単な説明】
【００２０】
【図１】この考案によるカード収容具の一実施形態であるカードホルダ１の構成を示す図である。
【図２】この考案による鞄の一実施形態であるショルダーバッグ２の構成を示す図である。
【図３】この考案によるカード収容具の他の実施形態である物入れ３の構成を示す図である。
【符号の説明】
【００２１】
１…カードホルダ、２…ショルダーバッグ、１ａ，１ｂ，２ａ，２ｂ，３ａ，３ｂ…面ファスナ、２１，２２，２３…収納部、２５…底部、２４…まち部。
【図１】
0003138151.tif 000003
【図２】
0003138151.tif 000004
【図３】
0003138151.tif 000005